(57)【要約】【課題】本発明は、柱上変圧器を取り付けるための専用の変圧器取付具を用いることなく、一般に普及している手段を用いて柱上変圧器を電柱に取り付けることができ、しかも、取付作業が行いやすく製造コストも安く抑えることのできる変圧器保持具を提供することを課題とする。【解決手段】本発明に係る変圧器保持具１は、腕金５０を保持する腕金保持部６１と、電柱Ｐの高さ方向に沿って該電柱Ｐと当接する電柱当接部６２とを備え、該電柱当接部６２を介して前記腕金保持部６１が前記電柱Ｐに固定される腕金装柱具６０に対して、前記腕金５０に代えて取付可能に構成される変圧器保持具１であって、前記腕金装柱具６０の腕金保持部６１に水平に保持されるべく該腕金保持部６１に対応した形状を有する被保持部２と、柱上変圧器８０を支持すべく少なくとも一端部に設けられる変圧器支持部３とを備えることを特徴とする。【選択図】図１
2008236984.tif 000002
【特許請求の範囲】
【請求項１】
真っ直ぐな腕金を長手方向に沿って水平に且つ抜け止めされた状態で保持する腕金保持部と、電柱の高さ方向に沿って該電柱と当接する電柱当接部とを備え、該電柱当接部を介して前記腕金保持部が前記電柱に固定される腕金装柱具に対して、前記腕金に代えて取付可能に構成される変圧器保持具であって、
前記腕金装柱具の腕金保持部に水平に保持されるべく該腕金保持部に対応した形状を有する被保持部と、柱上変圧器を支持すべく少なくとも一端部に設けられる変圧器支持部とを備えることを特徴とする変圧器保持具。
【請求項２】
前記変圧器支持部は、前記柱上変圧器の側面に形成される係止部に下方から係合する係合突起を備えて構成されることを特徴とする請求項１に記載の変圧器保持具。
【請求項３】
前記係合突起に係合された係止部に上方から係合する脱落防止部をさらに備えて構成されることを特徴とする請求項２に記載の変圧器保持具。
【請求項４】
高圧配電線から延びる高圧引下線と前記柱上変圧器との間に接続される高圧カットアウトを支持する高圧カットアウト支持部をさらに備えることを特徴とする請求項１から３のいずれか一項に記載の変圧器保持具。
【請求項５】
前記被保持部が絶縁体によって構成されることを特徴とする請求項１から４のいずれか一項に記載の変圧器保持具。
【請求項６】
前記腕金装柱具を二つ用いて前記電柱を挟んで対向する状態で固定し、少なくとも一方の腕金装柱具に請求項５に記載の変圧器保持具を保持させ、該変圧器保持具の変圧器支持部に柱上変圧器が支持されることを特徴とする柱上変圧器の取付構造。
【請求項７】
前記一対の腕金装柱具は、互いの間隔を調節可能且つ所定の間隔を有して対向した状態に維持する連結手段によって連結されることを特徴とする請求項６に記載の柱上変圧器の取付構造。
【発明の詳細な説明】
【技術分野】
【０００１】
本発明は、変圧器保持具及び該変圧器保持具を用いた柱上変圧器の取付構造に関し、より詳細には、いわゆる腕金装柱具に取付可能な変圧器保持具及び該変圧器保持具を用いた柱上変圧器の取付構造に関する。
【背景技術】
【０００２】
従来、いわゆる柱上変圧器は、鋼製の専用の変圧器取付具を用いて、前記柱上変圧器の側面に形成される係止部に前記変圧器取付具に設けられる係合突起を下方から係合させることにより、電柱に取り付けられている。かかる変圧器取付具の一つに、電柱の外径に対応した円弧状の電柱当接面を有する３つの弧状部材をそれぞれ締結部材を用いて環状に連結して、電柱を包囲した状態で該電柱に取り付けられ、少なくとも一つの弧状部材に前記係合突起が形成されている分離型のものがある。前記係止部は柱上変圧器の上下二箇所に設けられるので、この分離型の変圧器取付具は、柱上変圧器を電柱に固定するのに上下に二つ用いられるものである。
【０００３】
また、変圧器取付具としては、上記分離型の他にも、二つの柱上変圧器を取付可能に構成される変圧器取付具であって、それぞれ一つの柱上変圧器を保持する変圧器保持部が左右に設けられ、各変圧器保持部は横連結部によって連結されている一体型のものがある。各変圧器保持部は、柱上変圧器の上方の係止部と係合する係合突起を有する上方支持部と、柱上変圧器の下方の係止部に当接する下方支持部と、該上方支持部及び下方支持部を上下に連結する縦連結部とを備えており、かかる左右一対の変圧器保持部を連結する前記横連結部は上下にそれぞれ二つ設けられ、上下一対の横連結部にはそれぞれ電柱に固定するためのバンド部材が設けられる。
【発明の開示】
【発明が解決しようとする課題】
【０００４】
しかしながら、上述のような分離型の変圧器取付具は、前記３つの弧状部材を電柱に宛がった状態を維持しつつ、締結部材を用いて各弧状部材を連結していく必要があるため、作業効率が悪いという問題がある。また、弧状部材の内側に形成された電柱当接面の円弧の径が電柱の径に対応した変圧器取付具を用いる必要があるため、電柱の径によって変圧器取付具の種類を変更せねばならないという問題がある。さらに、この分離型の変圧器取付具は一つでは柱上変圧器自体の重みによって傾いてしまうなど安定性に欠けるため、上下に二つ用いる必要があるという問題がある。
【０００５】
また、前記一体型の変圧器取付具は、一つで二つの柱上変圧器を固定できるように堅牢に構成され、柱上変圧器の上下の係止部に亘る高さを有し、二つの柱上変圧器に対応して横にも幅を有するものであるため、全体形状が大きくなって非常に重量のあるものとなってしまう。そのため、運搬や保管を行うのに不便であるという問題がある。
【０００６】
さらに、上記のような変圧器取付具は柱上変圧器を固定するための専用品であって他に転用可能な用途がなく、製造コストが高くなりがちであり、また、在庫を発生させないための製造調整が難しいという問題がある。
【０００７】
そこで、本発明は、柱上変圧器を取り付けるための専用の変圧器取付具を用いることなく、一般に普及している手段を用いて柱上変圧器を電柱に取り付けることができ、しかも、取付作業が行いやすく製造コストも安く抑えることのできる変圧器保持具を提供することを目的とする。
【課題を解決するための手段】
【０００８】
本発明に係る変圧器保持具は、真っ直ぐな腕金を長手方向に沿って水平に且つ抜け止めされた状態で保持する腕金保持部と、電柱の高さ方向に沿って該電柱と当接する電柱当接部とを備え、該電柱当接部を介して前記腕金保持部が前記電柱に固定される腕金装柱具に対して、前記腕金に代えて取付可能に構成される変圧器保持具であって、前記腕金装柱具の腕金保持部に水平に保持されるべく該腕金保持部に対応した形状を有する被保持部と、柱上変圧器を支持すべく少なくとも一端部に設けられる変圧器支持部とを備えることを特徴とする。
【０００９】
前記腕金装柱具は、電柱の高さ方向に沿って該電柱と当接する電柱当接部を備えるもの、即ち、保持した腕金をさらに支持するアームタイといった他の支持部材を用いなくてもそれ一つで腕金を安定に取り付けることができるものである。そして、上記構成からなる変圧器保持具は、前記腕金装柱具の腕金保持部に対応した形状を有するものであるため、変圧器保持具を前記腕金装柱具に取り付けることで、延いては柱上変圧器を安定に電柱に取り付けることができる。
【００１０】
また、前記腕金装柱具は、電線を架設する腕金を電柱に取り付けるために広く普及している部材である。しかも、前記変圧器保持具は、上記のような従来の変圧器固定具に比べて簡素な構造を有し、運搬や保管を容易に行うことができる上に、製造も安価に行うことができる。従って、前記変圧器保持具を用いれば、専用の変圧器固定具を用いる場合に比べ、安価で且つ作業効率も良く柱上変圧器を電柱に取り付けることができる。
【００１１】
また、前記変圧器支持部は、前記柱上変圧器の側面に形成される係止部に下方から係合する係合突起を備えて構成されることが好ましい。
【００１２】
このようにすれば、柱上変圧器を変圧器保持具の上方から引っ掛けることにより、取付作業を容易に行うことができつつも、容易に脱落しない状態とすることができる。
【００１３】
そして、上記変圧器保持具は、前記係合突起に係合された係止部に上方から係合する脱落防止部をさらに備えて構成されることが好ましい。
【００１４】
このようにすれば、変圧器保持具の係合突起に係止部を係止された柱上変圧器が何らかの衝撃で跳ね上げられる等して脱落してしまうのを防止することができる。
【００１５】
さらに、上記変圧器保持具は、高圧配電線から延びる高圧引下線と前記柱上変圧器との間に接続される高圧カットアウトを支持する高圧カットアウト支持部をさらに備える構成が好ましい。
【００１６】
高圧カットアウトは、通常、柱上変圧器とセットで用いられるものであるので、上記構成を採用すれば、柱上変圧器と高圧カットアウトとを一組として一つの腕金装柱具で取り付けることができるため、作業効率を一層高めることができる。
【００１７】
ところで、前記変圧器保持具としては、前記被保持部が絶縁体によって構成されるものが考えられる。
【００１８】
かかる変圧器保持具によれば、絶縁性を確保することができるため、例えば金属製の電柱に対して取り付ける場合にも変圧器保持具を利用することができる。
【００１９】
この場合、柱上変圧器の取付構造としては、前記腕金装柱具を二つ用いて前記電柱を挟んで対向する状態で固定し、少なくとも一方の腕金装柱具に前記変圧器保持具を保持させ、該変圧器保持具の変圧器支持部に柱上変圧器が支持されるものが好ましい。
【００２０】
電柱は、一般的に高さ方向に比べて径方向の力に対する強度が劣るものであり、特に金属製の電柱ではその傾向があるが、上記柱上変圧器の取付構造によれば、電柱が破損してしまうのを好適に防止することができる。
【００２１】
また、前記一対の腕金装柱具は、互いの間隔を調節可能且つ所定の間隔を有して対向した状態に維持する連結手段によって連結される構成が考えられる。
【００２２】
このようにすれば、一対の腕金装柱具を電柱に容易に取り付けることができ、ひいては柱上変圧器の取付作業を容易に行うことができる。
【発明の効果】
【００２３】
以上のように、本発明に係る変圧器保持具によれば、柱上変圧器を固定するための専用の変圧器固定具を用いることなく、一般に普及している腕金装柱具を用いて柱上変圧器を電柱に取り付けることができ、しかも、取付作業が行いやすく製造コストも安くすることができる。
【発明を実施するための最良の形態】
【００２４】
以下に、本発明に係る変圧器保持具の実施形態について、図面に基づいて説明する。
【００２５】
＜第一実施形態＞
第一実施形態に係る変圧器保持具１は、図１に示すように、腕金装柱具６０に取り付けられて柱上変圧器８０を保持するものである。
【００２６】
まず、図２〜図４を参照しつつ、腕金装柱具６０及び該腕金装柱具６０によって電柱Ｐに取り付けられる腕金５０について説明する。該腕金５０は、電線（図示しない）を架設するために電柱Ｐに対して水平に取り付けられる部材であり、一般に、角筒状且つ真っ直ぐな形状を有し、電線自体の重みだけでなく電線が風に煽られた際の負荷にも十分耐え得る程度に高い剛性を有するものである。また、電線を固定するためや腕金装柱具６０に固定するためなどの種々の目的で、固定部材６４を挿通することが可能な孔５１，５１…が外周面（具体的には、腕金５０の各面）の適宜箇所に形成されている。
【００２７】
また、前記腕金装柱具６０は、前記腕金５０を電柱Ｐに取り付けるために広く普及している部材であり、真っ直ぐな腕金５０を長手方向に沿って水平に且つ抜け止めされた状態で保持する腕金保持部６１と、該腕金保持部６１が電柱Ｐに沿った状態で位置決めされるように電柱Ｐの高さ方向に沿って該電柱Ｐと当接する電柱当接部６２とを備える。さらに、前記腕金装柱具６０は、該電柱当接部６２を介して前記腕金保持部６１を前記電柱Ｐに固定する固定部６３を備える。具体的には、前記腕金装柱具６０は、腕金保持部６１及び電柱当接部６２を有する装柱具本体６５と、該装柱具本体６５を電柱Ｐに圧接させるバンド部材６６とを備えて構成され、一般に、アームタイレスバンドなどとも呼ばれる。なお、前記装柱具本体６５は、全長が電柱Ｐの幅（即ち、円筒形の電柱Ｐの直径）よりも長く形成される。
【００２８】
かかる腕金装柱具６０（装柱具本体６５）の腕金保持部６１は、前記腕金５０を安定的に受け止める腕金受け部６７と、腕金５０を抜け止めする抜け止め手段６８とを備えて構成される。前記腕金受け部６７は、前記腕金５０の外周形状に対応して設けられ、腕金５０の外周面と対面する。具体的には、前記平坦部位は、角筒状の腕金５０が有する隣接する三面（上面５２、背面側の側面５３、下面５４）の少なくとも一部を包囲する。なお、前記腕金５０は前記抜け止め手段６８を用いて固定されるため、前記各面５２，５３，５４の全てが腕金受け部６７と当接する必要はなく、最終的な取付状態においては前記背面側の側面５３のみが腕金受け部６７と当接する。
【００２９】
また、前記装柱具本体６５は、互いに反対を向いて配置される二つのＬ字状金具６９，６９と、該Ｌ字状金具６９，６９同士を所定間隔離して対向した状態で連結するとともに前記電柱Ｐに当接する二つの電柱当接金具７０，７０とによって一体的に構成される。前記Ｌ字状金具６９は、基端片６９ａと、前方に突出する突出片６９ｂとを備え、基端片６９ａが電柱当接金具７０に溶接される。前記電柱当接金具７０は、山部７０ａと該山部７０ａの両端に延びる一対の平坦な裾部７０ｂ，７０ｂとを備える異型金具であり、Ｌ字状金具６９の突出片６９ｂとは反対側に突出し、且つ、二つのＬ字状金具６９，６９の対向方向に沿って連続する頂部を有する。
【００３０】
前記腕金５０の上面５２及び下面５４は、前記二つのＬ字状金具６９，６９の基端片６９ａ，６９ａと対向し、前記腕金５０の背面側の側面５３は、前記電柱当接金具７０（裾部７０ｂ）の裏面と対向し、これらＬ字状金具６９及び電柱当接金具７０の有する各面は前記腕金受け部６７として機能する。また、前記各電柱当接金具７０は、全長が前記二つのＬ字状金具６９，６９の間隔よりも長くなるように構成され、電柱当接金具７０の下端部が前記腕金装柱具６０に保持される腕金５０よりも下方に突出する態様となる。また、電柱当接金具７０の上端部は、腕金５０よりも上方に突出する態様となる。
【００３１】
前記腕金装柱具６０の腕金保持部６１の抜け止め手段６８は、前記装柱具本体６５の基端側から突出する固定部材６４として設けられ、前記腕金５０の外周面に形成された孔５１に挿通されたボルトの突出部分にナット等の干渉部材を取り付けることにより、腕金５０を装柱具本体６５の基端側に圧接する。具体的には、前記固定部材６４は、前記電柱当接金具７０の裾部７０ｂから突出するように設けられる。なお、抜け止め手段６８としては、腕金受け部６７に受け止められた腕金５０の外周を包囲する（即ち、腕金５０を抱え込む）ように前記装柱具本体６５の基端側から突出するホールド部材（図示しない）をさらに備えるものもある。該ホールド部材は、側面視コの字状を有し、装柱具本体６５の上部及び下部に連結される。
【００３２】
また、前記バンド部材６６は、前記装柱具本体６５に取り付けられるとともに、該装柱具本体６５と協同して電柱Ｐを収める空間を画定する部材であり、前記空間の大きさを変更すべく長さを調節可能に構成され、前記腕金装柱具６０の取付状態においては、電柱Ｐに巻き付く態様となる。具体的には、前記バンド部材６６は、前記二つの電柱当接金具７０，７０に跨って取り付けられる。
【００３３】
上記構成を有する腕金装柱具６０は、電柱当接部６２が電柱Ｐの高さ方向に沿って該電柱Ｐと当接することで、保持した腕金５０をさらに支持するアームタイといった他の支持部材を用いなくてもそれ一つで腕金５０を安定に電柱Ｐに取り付けることができる。
【００３４】
次に、前記柱上変圧器８０について説明する。柱上変圧器８０は、一般に筒状を有し、側面に変圧器固定具等によって係止される係止部８１を有する。また、前記係止部８１は、高さ方向に開放される開口８２を上部及び下部に有する。具体的には、前記係止部８１は、曲げ板を柱上変圧器８０の側面から径方向外方に突出する態様で取り付け、柱上変圧器８０の側面との間に空間を形成することによって設けられる。かかる係止部８１は、柱上変圧器８０の側面の周方向同一位置に高さをずらして上下一対設けられるものであり、前記係合突起５は、前記柱上変圧器８０の有する上下一対の係止部８１，８１のうち、上方の係止部８１を係止するものである。また、下方の係止部８１には前記電柱Ｐと当接するための当て座（図示しない）が取り付けられ、柱上変圧器８０を下方から支持する。
【００３５】
最後に、上記構成を有する腕金装柱具６０に取り付けられる変圧器保持具１について、図５〜図７を参照しつつ説明する。
【００３６】
該変圧器保持具１は、前記腕金装柱具６０の腕金保持部６１に水平に保持されるべく該腕金保持部６１に対応した形状を有する被保持部２と、柱上変圧器８０を側面から支持すべく少なくとも一端部に設けられる（具体的には、両端部）に設けられる変圧器支持部３，３とを備える。具体的には、変圧器保持具１は、前記被保持部２を有する保持具本体４と、該保持具本体４に一体的に設けられ、前記柱上変圧器８０の係止部８１に下方から係合する係合突起５とを備えて構成される。
【００３７】
前記保持具本体４は、前記腕金５０と同様に全長に亘って角筒状且つ真っ直ぐに形成される。また、外周面の適宜箇所には、腕金装柱具６０に固定する際に固定部材６４が挿通される孔６が形成されている。従って、変圧器保持具１は、腕金５０が腕金装柱具６０の腕金保持部６１に保持されるのと同じ態様で保持される。前記保持具本体４は、前記腕金装柱具６０よりも全長が長く形成され、腕金装柱具６０に取り付けられると端部が該腕金装柱具６０から突出する状態となる。
【００３８】
具体的には、前記保持具本体４は、該保持具本体４の軸方向に対して傾斜し且つ前記電柱Ｐの上下方向に沿う平面に沿って前記軸方向端部の少なくとも一部を斜めに切り欠かれる。具体的には、切り欠かれて形成される切り口１９は、上面７及び下面９の幅方向に傾斜し、且つ前面８及び背面１０の幅方向に沿って設けられる。しかも、各端部の切り口１９，１９の端面同士は、互いに交差するように形成される。従って、前面８が背面１０よりも大きくなり、上面視ほぼ台形状となる。なお、かかる前記保持具本体４は、腕金５０を加工したものである。また、前記保持具本体４には、後述する脱落防止金具１５を取り付けるための取付孔１１や高圧カットアウト支持金具３１を取り付けるための取付孔１２が形成されている。
【００３９】
また、前記係合突起５は、腕金装柱具６０から突出する保持具本体４の端部に設けられており、かかる係合突起５及び該係合突起５が設けられた保持具本体４の端部が前記変圧器支持部３として機能する。また、前記係合突起５は、前記保持具本体４から上方に向けて突出するように設けられる。
【００４０】
具体的には、前記係合突起５は板状体として構成される。該係合突起５は、前記保持具本体４の軸方向に対して傾斜させて設けられる。具体的には、前記係合突起５は、前記保持具本体４の端部に溶接され、より詳しくは、前記切り口１９を閉塞するように該切り口１９の端面に溶接される。また、係合突起５には、該係合突起５と柱上変圧器８０の係止部８１とを密接状態で確実に固定するための固定部材１３が設けられる。
【００４１】
なお、上述のように前記保持具本体４の端部が斜めに切り欠かれる、若しくは、前記係合突起５が斜めに設けられることにより、図１に示すように、柱上変圧器８０は保持具本体４の軸方向に対して傾斜した状態で変圧器保持具１に保持されることとなる。
【００４２】
また、変圧器保持具１は、前記係合突起５に係合された前記柱上変圧器８０の係止部８１に上方から係合する脱落防止部１４をさらに備えて構成される。該脱落防止部１４は、具体的には、前記保持具本体４に形成された取付孔１１に挿通される脱落防止金具１５として構成され、前記保持具本体４の端部に設けられる。脱落防止金具１５は、前記保持具本体４に対して回転可能且つ抜け止め状態で上下動可能に保持される細長部１６と、該細長部１６の基端側に設けられ前記取付孔１１と干渉する干渉部１７と、前記細長部１６の先端側に設けられるフック部１８とを備える。
【００４３】
前記細長部１６は、前記柱上変圧器８０の係止部８１が係合突起５に係止された状態で、保持具本体４の上面７からフック部１８の下端までの距離が前記柱上変圧器８０の係止部８１の上端縁までの距離よりも長く形成される。そして、係止部８１を係止した状態で、前記脱落防止金具１５のフック部１８が前記係止部８１に引っ掛けられる。前記干渉部１７は、前記細長部１６の外周に形成された雄ネジと該雄ネジに螺合するナットとによって構成される。
【００４４】
さらに、図６及び図７に良く示されるように、前記変圧器保持具１には、高圧配電線から延びる高圧引下線と前記柱上変圧器８０との間に接続される高圧カットアウト（図示しない）を支持する高圧カットアウト支持部３０が設けられる。具体的には、高圧カットアウトは長尺な棒状を有するＰＣアームと呼ばれるアーム部材９０の先端側に取り付けられるものであり、前記高圧カットアウト支持部３０は、高圧カットアウトを直接支持するのではなく、前記アーム部材９０を保持するものである。また、該高圧カットアウト支持部３０は、アーム部材９０の先端側に取り付けられた高圧カットアウトが前記被保持部２とは異なる高さに位置するように前記アーム部材９０を保持するものであり、具体的には、高圧カットアウト支持部３０は、前記被保持部２（具体的には、保持具本体４）から上下方向に沿って上方に延設され、前記アーム部材９０は、前記被保持部２より上方の位置から電柱Ｐの直交方向に沿って突出する態様となる。ただし、高圧カットアウト支持部３０は、上下方向に沿って下方に延設されるものであってもよい。
【００４５】
なお、図１及び図５においては、変圧器保持具１の全体を見やすくする関係上、高圧カットアウト支持部３０を途中の位置（後述する延設部３３の位置）で分断した状態を図示している。
【００４６】
具体的には、高圧カットアウト支持部３０は、図８〜図１０に示すように、前記保持具本体４に着脱可能に取り付けられる高圧カットアウト支持金具３１として構成され、前記保持具本体４に連結される連結部３２と、該連結部３２から延びる延設部３３と、延設部３３の延設方向と直交し且つ電柱から離間する方向に向かって延びるアーム部材支持部３４とを備える。ただし、前記高圧カットアウト支持部３０は、高圧カットアウト支持金具３１を溶接する等によって保持具本体４と一体的に設けられるものであってもよい。
【００４７】
好ましくは、高圧カットアウト支持部３０は、前記延設部３３の背面側に設けられ、前記電柱Ｐと当接する電柱当接部３５をさらに備える。該電柱当接部３５は、電柱Ｐと当接する背面３５ａが電柱Ｐの外周面の形状に対応して湾曲形状に形成される。また、該電柱当接部３５の前後方向の長さは、高圧カットアウト支持金具３１が保持具本体４に取り付けられた状態で、前記延設部３３と電柱Ｐとが沿うように設定される。
【００４８】
前記高圧カットアウト支持金具３１は、前記連結部３２を前記保持具本体４の被保持部２に固定して取り付けられる。前記連結部３２は、保持具本体４を前面８側から包囲する態様で固定される部位であり、具体的には、角筒状の前記被保持部２の形状に対応して形成され、前記被保持部２の隣接する三面（上面７、前面８、下面９）に沿うように配置される三つの平坦部位３６，３７，３８を備え、側面視コの字状を有する。さらに、前記三つの平坦部位３６，３７，３８のうち、上下に対向する二つの平坦部位３６，３８には、該二つの平坦部位３６，３８の直交方向に沿って連通するように位置合わせされた上下一対の孔３９，４０が形成される。また、前記保持具本体４の上面及び下面に形成された一対の取付孔１２，１２は、前記連結部３２の上下一対の孔３９，４０に対応する位置に形成されており、各孔を貫通して固定部材４１が挿通される。
【００４９】
以上のように、第一実施形態に係る変圧器保持具１によれば、柱上変圧器８０を固定するための専用の変圧器固定具を用いることなく、一般に普及している腕金装柱具６０を用いて柱上変圧器８０を電柱Ｐに取り付けることができ、しかも、取付作業が行いやすく製造コストも安くすることができる。
【００５０】
即ち、上記構成からなる変圧器保持具１は、前記腕金装柱具６０の腕金保持部６１に対応した形状を有するものであるため、変圧器保持具１を前記腕金装柱具６０に取り付けることで、延いては柱上変圧器８０を安定に電柱に取り付けることができる。また、前記変圧器保持具１は、従来の変圧器固定具に比べて簡素な構造を有するものであるため、運搬や保管を容易に行うことができる上に、腕金５０を加工して変圧器保持具１を製造することができるため、製造も安価に行うことができる。従って、前記変圧器保持具１を用いれば、専用の変圧器固定具を用いる場合に比べ、作業効率も良く柱上変圧器８０を電柱Ｐに取り付けることができる。
【００５１】
また、前記変圧器支持部３は、前記柱上変圧器８０の側面に形成される係止部８１に下方から係合する係合突起５を備えて構成されるため、柱上変圧器８０を変圧器保持具１の上方から引っ掛けることにより、取付作業を容易に行うことができつつも、容易に脱落しない状態とすることができる。
【００５２】
そして、上記変圧器保持具１は、前記係合突起５に係合された係止部８１に上方から係合する脱落防止部１４をさらに備えて構成されるため、柱上変圧器８０が何らかの衝撃で跳ね上げられる等して脱落してしまうのを防止することができる。
【００５３】
さらに、上記変圧器保持具１は、高圧配電線から延びる高圧引下線と前記柱上変圧器との間に接続される高圧カットアウトを支持する高圧カットアウト支持部３０を備えるため、柱上変圧器８０と該柱上変圧器８０と通常セットで用いられる高圧カットアウトとを一組として一つの腕金装柱具６０で取り付けることができ、作業効率を一層高めることができる。
【００５４】
＜第二実施形態＞
次に、変圧器保持具の第二実施形態について説明する。第二実施形態に係る変圧器保持具は、金属製の電柱に対して柱上変圧器を取り付けるのに特に適した構造を有するものである。以下、金属製の電柱に関する背景を含め、詳細に説明する。
【００５５】
電柱としては、コンクリート製のものが一般的であり、これらコンクリート製の電柱は、建柱車と呼ばれる車両を用いて設置されるものであるが、建柱車の進入が困難な狭い場所や山間部等においては、分解した状態で現場に搬入され現場で組立可能な金属製の電柱が用いられる。このような金属製の電柱には、全てのパーツが金属製の鋼管で形成されたものや、コンクリート製の台柱と鋼管とを組み合わせた複合柱などがある。
【００５６】
かかる金属製の電柱は導電性を有するものであるため、絶縁状態を確保すべく、一般的なコンクリート製の電柱に比べてより十分な絶縁対策が講じられている。具体的には、柱上変圧器は、金属製の電柱との間で絶縁するための絶縁変台を用いて装柱される。ここで、絶縁変台とは、例えば特開２００６−３４０４７３号公報等において提案されるものであり、柱上変圧器は、前記金属製の電柱に取り付けられる腕金に碍子等の絶縁物を介して載置され、また、前記金属製の電柱とも碍子等の絶縁物を介して連結される。さらに、前記碍子の上に絶縁性の板材を載置し、該板材の上に柱上変圧器を載置するものもある。
【００５７】
ところで、柱上変圧器を金属製の電柱に取り付けるのに変台が用いられるのは、強度の特性がコンクリート製の電柱とは異なることにも起因する。具体的に説明すると、電柱は金属製、コンクリート製のいずれのものも所定の厚みの外周壁を有する中空体のものが一般的であり、高さ方向に比べて径方向の力に対する強度が劣るものであるが、特に金属製の電柱ではその傾向がある。このため、アームレスタイバンドのようなバンド部材を締め付けると、金属製の電柱が変形するなど破損してしまうおそれがある。従って、金属製の電柱においては、コンクリート製の電柱の場合と違い、腕金を組み合わせて形成された変台が用いられる。
【００５８】
かかる変台としては、柱上変圧器を一つ載置する構造の二型変台や、柱上変圧器を二つ載置する構造の井型変台などがある。前記二型変台は、電柱の同一高さ位置から互いに平行に水平方向に二本の腕金を突出させ、且つ、この二本の腕金同士を電柱を挟む態様で締結部材によって締め付けて構成される。また、井型変台は、前記二型変台と同様の構造を形成した上で、さらに前記二本の腕金に直交し且つ両端部が突出するように二本の腕金を所定の間隔で載置して構成される。
【００５９】
しかしながら、このような取り付け方では、柱上変圧器は碍子等を介して間接的にしか電柱や腕金に取り付けることができないため、柱上変圧器を強固に装柱することが困難であるという問題がある。また、柱上変圧器は重量物であるため、下に配置される碍子が重みによって破損しかねないという問題がある。さらに、絶縁性の板材の上に柱上変圧器が載置される場合には、柱上変圧器の底面を視認することが困難であり、柱上変圧器の劣化の程度を底面の状況から判断することができないという問題もある。
【００６０】
しかも、絶縁性を高めるために碍子等が用いられることや変台を構成するために多数の腕金が必要となるために、柱上変圧器の装柱に必要な部材の数がコンクリート製の電柱の場合よりも多くなってしまうという問題がある。また、部材の数が多いため、それを搬送する作業や組み立てる作業も複雑且つ困難になりがちであるという問題もあり、車両の進入が困難な場所では、特にその問題が顕著である。
【００６１】
第二実施形態に係る変圧器保持具は、上述のような問題点に鑑みてなされたもので、金属製の電柱に対しても取り付け可能な変圧器保持具及び柱上変圧器の取付構造を提供するものである。また、柱上変圧器を容易で且つ確実に電柱に取り付けることのできる変圧器保持具及び柱上変圧器の取付構造を提供するものである。
【００６２】
第二実施形態に係る変圧器保持具１０１は、図１１及び図１５〜図１７に示すようであり、基本的な構成は第一実施形態に係る変圧器保持具１と同様であるが、絶縁性を有する点が特徴である。
【００６３】
まず、図１２〜図１４を参照しつつ、第二実施形態に係る変圧器保持具１０１を電柱Ｐｍに取り付けるのに適した腕金装柱具１６０について説明する。該腕金装柱具１６０は、真っ直ぐな腕金５０を長手方向に沿って水平に且つ抜け止めされた状態で保持することができる腕金保持部１６１と、該腕金保持部１６１が電柱Ｐｍに沿った状態で位置決めされるように電柱Ｐｍの高さ方向に沿って該電柱Ｐｍと当接する電柱当接部１６２とを備え、これらの構成は、第一実施形態のものと同様である。また、前記腕金装柱具１６０は、腕金保持部１６１及び電柱当接部１６２を有する装柱具本体１６５を備える。
【００６４】
一方、腕金装柱具１６０は、第一実施形態におけるバンド部材６６を備えておらず、後述する別の方法によって電柱Ｐｍに固定される。具体的には、腕金装柱具１６０を固定するに際しては、前記腕金装柱具１６０が二つ用いられ、該二つの腕金装柱具１６０が前記電柱Ｐｍを挟んで互いに平行な状態で固定される。また、これら二つの腕金装柱具１６０，１６０は、互いの間隔を調節可能且つ所定の間隔を有して対向した状態に維持する連結手段１６３によって連結される。かかる二つの腕金装柱具１６０，１６０が連結されて構成される構造については後述する。
【００６５】
前記腕金装柱具１６０（装柱具本体１６５）の腕金保持部１６１は、前記腕金５０を安定的に受け止めることができる腕金受け部１６７と、腕金５０を抜け止めすることができる抜け止め手段１６８とを備えて構成される。前記腕金受け部１６７は、前記腕金５０の外周形状に対応した形状を有し、腕金５０の外周面と対面することができる。具体的には、前記平坦部位は、角筒状の腕金５０が有する隣接する三面（上面５２、背面側の側面５３、下面５４）の少なくとも一部を包囲することができる。なお、前記腕金５０は前記抜け止め手段１６８を用いて固定されるため、前記各面５２，５３，５４の全てが腕金受け部１６７と当接することなく、前記背面側の側面５３のみが腕金受け部１６７と当接するものでよい。
【００６６】
また、前記装柱具本体１６５は、互いに反対を向いて配置される二つのＬ字状金具１６９，１６９と、該Ｌ字状金具１６９，１６９同士を所定間隔離して対向した状態で連結するとともに前記電柱Ｐｍに当接する二つの電柱当接金具１７０，１７０とによって一体的に構成される。前記Ｌ字状金具１６９は、基端片１６９ａと、前方に突出する突出片１６９ｂとを備え、基端片１６９ａが電柱当接金具１７０に溶接される。前記電柱当接金具１７０は、山部１７０ａと該山部１７０ａの両端に延びる一対の平坦な裾部１７０ｂ，１７０ｂとを備える異型金具であり、Ｌ字状金具１６９の突出片１６９ｂとは反対側に突出し、且つ、二つのＬ字状金具１６９，１６９の対向方向に沿って連続する頂部を有する。
【００６７】
前記腕金５０の上面５２及び下面５４は、前記二つのＬ字状金具１６９，１６９の基端片１６９ａ，１６９ａと対向し、前記腕金５０の背面側の側面５３は、前記電柱当接金具１７０（裾部１７０ｂ）の裏面と対向し、これらＬ字状金具１６９及び電柱当接金具１７０の有する各面は前記腕金受け部１６７として機能する。また、前記各電柱当接金具１７０は、全長が前記二つのＬ字状金具１６９，１６９の間隔よりも長くなるように構成され、電柱当接金具１７０の下端部が前記腕金装柱具１６０に保持される腕金５０よりも下方に突出する態様となる。また、電柱当接金具１７０の上端部は、腕金５０よりも上方に突出する態様となる。
【００６８】
さらに、前記各電柱当接金具１７０がＬ字状金具１６９よりも上方に突出する部分及び／又は下方に突出する部分は、前記連結手段１６３としての締結部材１６６が取り付けられる連結部となる。
【００６９】
前記腕金装柱具１６０の腕金保持部１６１の抜け止め手段１６８は、前記装柱具本体１６５の基端側から突出する固定部材１６４として設けられ、前記腕金５０の外周面に形成された孔５１に挿通されたボルトの突出部分にナット等の干渉部材を取り付けることにより、腕金５０を装柱具本体１６５の基端側に圧接することができる。具体的には、前記固定部材１６４は、前記電柱当接金具１７０の裾部１７０ｂから突出するように設けられる。なお、抜け止め手段１６８としては、腕金受け部１６７に受け止められた腕金５０の外周を包囲する（即ち、腕金５０を抱え込む）ように前記装柱具本体１６５の基端側から突出するホールド部材（図示しない）をさらに備えるものもある。該ホールド部材は、側面視コの字状を有し、装柱具本体１６５の上部及び下部に連結される。
【００７０】
また、前記連結手段１６３は、二つの腕金装柱具１６０，１６０を連結する締結部材１６６であり、前記空間の大きさを変更すべく腕金装柱具１６０，１６０間の距離を調節可能に構成される。具体的には、前記締結部材１６６は、一対の腕金装柱具１６０，１６０が備える対向する一対の電柱当接金具１７０，１７０同士を電柱Ｐｍの高さ方向上下箇所で連結する。より具体的には、前記締結部材１６６は、抱き用ボルトとも呼ばれるボルトと、該ボルトの先端部に螺合されるナットとで構成されるものである。
【００７１】
上記構成を有する腕金装柱具１６０は、前記電柱Ｐｍを挟んで対向する状態で固定され、各電柱当接部１６２，１６２が電柱Ｐｍの高さ方向に沿って該電柱Ｐｍと当接することで、保持した腕金５０をさらに支持するアームタイといった他の支持部材を用いなくても腕金５０を安定に電柱Ｐｍに取り付けることができる。
【００７２】
なお、前記柱上変圧器８０は、金属製の電柱に装柱されるかコンクリート製の電柱に装柱されるかにかかわらず基本的に同一のものであるが、前記下方の係止部８１に前記電柱Ｐｍと当接するために取り付けられる当て座（図示しない）には、絶縁性のものが用いられる。
【００７３】
次に、上記構成を有する腕金装柱具１６０に取り付けられる変圧器保持具１０１について、図１５〜図１７を参照しつつ説明する。
【００７４】
該変圧器保持具１０１は、前記腕金装柱具１６０の腕金保持部１６１に水平に保持されるべく該腕金保持部１６１に対応した形状を有する被保持部１０２と、柱上変圧器８０を側面から支持すべく両端部に設けられる変圧器支持部１０３，１０３とを備える。具体的には、変圧器保持具１０１は、前記被保持部２を有する保持具本体１０４と、該保持具本体１０４に一体的に設けられ、前記柱上変圧器８０の係止部８１に下方から係合する係合突起１０５とを備えて構成される。
【００７５】
前記被保持部１０２は、絶縁体によって構成される。その素材としては、樹脂性のもの、特に、絶縁性に加えて強度をも兼ね備えたＦＲＰ製のものが好適である。ところで、保持具本体１０４などの被保持部１０２の形状等に関する構成は基本的に第一実施形態のものと同様であり、改めて説明すると、前記保持具本体１０４は、前記腕金５０と同様に全長に亘って角筒状且つ真っ直ぐに形成される。また、外周面の適宜箇所には、腕金装柱具１６０に固定する際に固定部材１６４が挿通される孔１０６が形成されている。従って、変圧器保持具１０１は、腕金５０が腕金装柱具１６０の腕金保持部１６１に保持されるのと同じ態様で保持される。前記保持具本体１０４は、前記腕金装柱具１６０よりも全長が長く形成され、腕金装柱具６０に取り付けられると端部が該腕金装柱具１６０から突出する状態となる。
【００７６】
具体的には、前記保持具本体１０４は、該保持具本体１０４の軸方向に対して傾斜し且つ前記電柱Ｐｍの上下方向に沿う平面に沿って前記軸方向端部の少なくとも一部を斜めに切り欠かれる。具体的には、切り欠かれて形成される切り口１１９は、上面１０７及び下面１０９の幅方向に傾斜し、且つ前面１０８及び背面１１０の幅方向に沿って設けられる。しかも、各端部の切り口１１９，１１９の端面同士は、互いに交差するように形成される。従って、前面１０８が背面１１０よりも大きくなり、上面視ほぼ台形状となる。また、前記保持具本体１０４には、第一実施形態において説明した脱落防止金具１１５を取り付けるための取付孔１１１や高圧カットアウト支持金具３１を取り付けるための取付孔１１２が形成されている。
【００７７】
さらに、前記保持具本体１０４には、図１８に示すように、前記係合突起１０５を取り付けるための取付孔１２２が形成されている。具体的には、前記取付孔１２２は、角筒状を有する保持具本体１０４の上面１２０及び下面１２１に形成されている。
【００７８】
また、前記係合突起１０５は、腕金装柱具１６０から突出する保持具本体１０４の端部に設けられており、かかる係合突起１０５及び該係合突起１０５が設けられた保持具本体１０４の端部が前記変圧器支持部１０３として機能する。また、前記係合突起１０５は、前記保持具本体１０４から上方に向けて突出するように設けられる。また、該係合突起１０５は、前記保持具本体１０４の軸方向に対して傾斜させて設けられる。係合突起１０５には、該係合突起１０５と柱上変圧器８０の係止部８１とを密接状態で確実に固定するための固定部材１１３が設けられる。
【００７９】
具体的には、前記係合突起１０５は、図１８に示すように、板状体１０５ａと、該板状体１０５ａから直交する方向に突出する取付片１０５ｂとを備えて構成される。前記取付片１０５ｂは、前記保持具本体１０４の上面１２０及び下面１２１に対応して、板状体１０５ａの上下位置に二つ設けられる。そして、該係合突起１０５は、固定部材１２３を用いて保持具本体１０４の端部に取り付けられ、より詳しくは、前記切り口１１９を閉塞するように該切り口１１９の端面に取り付けられる。さらに、前記係合突起１０５には、前記保持具本体１０４から上方に突出する端部に前記固定部材１１３が設けられる。
【００８０】
なお、上述のように前記保持具本体１０４の端部が斜めに切り欠かれる、若しくは、前記係合突起１０５が斜めに設けられることにより、図１１に示すように、柱上変圧器８０は保持具本体１０４の軸方向に対して傾斜した状態で変圧器保持具１０１に保持されることとなる。
【００８１】
また、変圧器保持具１０１は、前記係合突起１０５に係合された前記柱上変圧器８０の係止部８１に上方から係合する脱落防止部１１４をさらに備えて構成される。該脱落防止部１１４は、具体的には、前記保持具本体１０４に形成された取付孔１１１に挿通される脱落防止金具１１５として構成され、前記保持具本体１０４の端部に設けられる。脱落防止金具１１５は、前記保持具本体１０４に対して回転可能且つ抜け止め状態で上下動可能に保持される細長部１１６と、該細長部１１６の基端側に設けられ前記取付孔１１１と干渉する干渉部１１７と、前記細長部１１６の先端側に設けられるフック部１１８とを備える。
【００８２】
前記細長部１１６は、前記柱上変圧器８０の係止部８１が係合突起１０５に係止された状態で、保持具本体１０４の上面１０７からフック部１１８の下端までの距離が前記柱上変圧器８０の係止部８１の上端縁までの距離よりも長く形成される。そして、係止部８１を係止した状態で、前記脱落防止金具１１５のフック部１１８が前記係止部８１に引っ掛けられる。前記干渉部１１７は、前記細長部１１６の外周に形成された雄ネジと該雄ネジに螺合するナットとによって構成される。
【００８３】
なお、前記変圧器保持具１０１は、第一実施形態に係る変圧器保持具１と同様に、高圧カットアウト支持部３０が設けられるものであるが、高圧カットアウト支持部３０の詳細な構成は第一実施形態の場合と同様であるため、ここでは説明を割愛する。また、図１１及び図１５は、前記第一実施形態における図１及び図５と同様に、変圧器保持具１の全体を見やすくする関係上、高圧カットアウト支持部３０を途中の位置（後述する延設部３３の位置）で分断した状態を図示している。
【００８４】
次に、第二実施形態に係る変圧器保持具１０１を用いた柱上変圧器の取付構造について説明する。
【００８５】
図１１に示すように、柱上変圧器を装柱するに際しては、二つの腕金装柱具１６０，１６０が用いられ、柱上変圧器の取付構造としては、前記腕金装柱具１６０を二つ用いて前記電柱Ｐｍを挟んで対向する状態で固定し、少なくとも一方の腕金装柱具１６０に変圧器保持具１０１を保持させ、該変圧器保持具１０１の変圧器支持部１０３に柱上変圧器８０が支持される。
【００８６】
かかる柱上変圧器の取付構造においては、一対の腕金装柱具１６０，１６０のうち、一方に変圧器保持具１０１を保持させ、該変圧器保持具１０１の有する二つの変圧器支持部１０３，１０３の両方に柱上変圧器８０が支持される。
【００８７】
ただし、柱上変圧器の取付構造としては他にも種々の態様が考えられ、例えば図１９に示すように、一対の腕金装柱具１６０，１６０の両方に変圧器保持具１０１を保持させ、各変圧器保持具１０１，１０１の有する変圧器支持部１０３，１０３のうち、同じ側の変圧器支持部１０３に柱上変圧器８０を支持させたものなどであってもよい。なお、図１９の柱上変圧器の取付構造においては、柱上変圧器８０を支持しない側の前記係合突起１０５及び脱落防止金具１１５は取り外されている。
【００８８】
ところで、図１９のような柱上変圧器の取付構造においては、腕金装柱具１６０を用いているが、一方の端部のみで柱上変圧器８０を支持するように構成された専用の腕金装柱具を用いてもよい。そのような専用の腕金装柱具の場合には、例えば、保持具本体における柱上変圧器８０を支持しない側の端部を斜めに切り欠く必要はなく、また、係合突起１０５用の取付孔１２２や脱落防止金具１１５用の取付孔１１１は設けられない。
【００８９】
なお、図１９の柱上変圧器の取付構造においては、変圧器保持具１０１に高圧カットアウト支持部３０が設けられない。この場合には、前記腕金装柱具１６０及び変圧器保持具１０１とは異なる高さ位置において別途腕金装柱具を電柱Ｐｍに取り付けて、該腕金装柱具にアーム部材を保持させ、該アーム部材に高圧カットアウトが取り付けられる。
【００９０】
柱上変圧器の取付構造のさらに他の例としては、電柱Ｐｍを中心に点対称な位置に柱上変圧器８０を支持させたものや、一方の変圧器支持部１０３にのみ柱上変圧器８０を支持させたものや、両方の変圧器保持具１０１，１０１を合わせて４つ設けられる変圧器支持部１０３のうち、３つに柱上変圧器８０を支持させたもの、若しくは４つに柱上変圧器８０を支持させたものなども考えられる。
【００９１】
以上のように、第二実施形態に係る変圧器保持具１０１によれば、前記被保持部１０２が絶縁体によって構成されるため、絶縁性を確保することができるため、金属製の電柱Ｐｍに対して取り付ける場合にも変圧器保持具を利用することができる。また、絶縁変台を用いる必要がないため、柱上変圧器を容易で且つ確実に電柱Ｐｍに取り付けることができる。
【００９２】
しかも、第二実施形態に係る柱上変圧器の取付構造においては、第一実施形態の腕金装柱具６０のようにバンド部材６６を電柱Ｐｍに巻き付ける態様で取り付けられるのではなく、前記腕金装柱具１６０を二つ用いて前記電柱Ｐｍを挟んで対向する状態で固定するものであるため、金属製の電柱Ｐｍが変形するなど破損してしまうのを好適に防止することができる。
【００９３】
また、前記一対の腕金装柱具１６０，１６０は、互いの間隔を調節可能且つ所定の間隔を有して対向した状態に維持する連結手段１６３によって連結されるものであるため、一対の腕金装柱具１６０，１６０を電柱Ｐｍに容易に取り付けることができ、ひいては柱上変圧器８０の取付作業を容易に行うことができる。
【００９４】
さらに、金属製の電柱Ｐｍの場合の柱上変圧器の取付構造では二つの腕金装柱具１６０，１６０が用いられるものであるため、係合突起の両端部を保持具本体１０４から上下に突出する態様で設ければ、例えば図１９のような取付構造を採用する場合にも、上下の向きを変えることで、電柱Ｐｍのいずれの側にも同じ構造の変圧器保持具１０１を用いることができ、汎用性を高めることができる。
【００９５】
なお、本発明に係る変圧器保持具は、上記実施形態に限定されるものではなく、本発明の要旨を逸脱しない範囲で種々の変更が可能である。
【００９６】
例えば、上記第一実施形態においては、前記係合突起５は前記保持具本体４の端部を切り欠いて形成された切り口１９を閉塞するように溶接して設けられるものであったが、これに限定されるものではなく、前記保持具本体４の上面及び下面における切り口１９より内側の箇所に細長い孔を形成し、該細長い孔に板状体を挿通して孔端縁と板状体とを溶接することにより設けられるものであってもよい。
【００９７】
また、前記保持具本体４は、全長に亘って角筒状且つ真っ直ぐに形成されるものであったが、少なくとも被保持部２が前記腕金装柱具６０の腕金保持部６１に対応した形状を有するものであればよく、腕金保持部６１から突出した部分の形状を問うものではない。例えば、保持具本体４は、被保持部２に連続する部位が前記被保持部２の軸方向から傾斜して形成されるものであってもよい。
【００９８】
また、前記係合突起は、上下方向に沿う両端部が保持具本体から上下に突出する態様で設けられるものであってもよい。このようにすれば、該係合突起が取り付けられた変圧器保持具は、上下いずれの向きであっても柱上変圧器を保持することができる。その場合には、前記係合突起は、前記上下方向に沿う両端側の二箇所で固定部材を取付可能に構成される。具体的には、前記固定部材は、前記係合突起に対して着脱可能であり、変圧器保持具の向きに応じて前記係合突起の上方を向く端部に取り付けられる。また、変圧器保持具の向きに応じて脱落防止部も向きを上下に変更可能に構成され、具体的には、前記脱落防止金具を取り外して上下逆向きに取り付けることができる。
【００９９】
また、上記第二実施形態においては、前記連結手段１６３としての締結部材１６６と抜け止め手段１６８としての固定部材１６４とが別に設けられるものであったが、これらは同一の部材で構成することも可能である。
【０１００】
そして、上記第二実施形態における腕金装柱具１６０は、バンド部材を備えていないものとして説明したが、これを備えるものであってもよい。そのような腕金装柱具であれば、コンクリート製の電柱のように巻き付ける態様で使用できる電柱に対してはバンド部材を用いて腕金装柱具を固定し、金属製の電柱のように巻き付ける態様で使用することが好ましくない電柱に対してはバンド部材を用いることなく二つの腕金装柱具を連結して固定するといったように、適宜使用態様を変更可能な汎用性の高い腕金装柱具とすることができる。
【０１０１】
さらに、上記各実施形態においては、前記変圧器保持具１の端部に設けられる係合突起５を柱上変圧器の係止部８１に係合させることによって柱上変圧器８０を支持するものであったが、これに限定されるものではなく、柱上変圧器を支持することができるものであれば、変圧器支持部はどのような構成のものであってもよい。
【図面の簡単な説明】
【０１０２】
【図１】本発明の第一実施形態に係る変圧器保持具を用いて柱上変圧器を電柱に取り付けた柱上変圧器の取付構造の上面図を示す。
【図２】第一実施形態に係る変圧器保持具が取り付けられる腕金装柱具の上面図を示す。
【図３】第一実施形態に係る変圧器保持具が取り付けられる腕金装柱具の正面図を示す。
【図４】第一実施形態に係る変圧器保持具が取り付けられる腕金装柱具の側面図を示す。
【図５】第一実施形態に係る変圧器保持具の上面図を示す。
【図６】第一実施形態に係る変圧器保持具の正面図を示す。
【図７】第一実施形態に係る変圧器保持具の側面図を示す。
【図８】第一実施形態に係る変圧器保持具に高圧カットアウト支持部を設けた状態の下面図を示す。
【図９】第一実施形態に係る変圧器保持具に高圧カットアウト支持部を設けた状態の正面図を示す。
【図１０】第一実施形態に係る変圧器保持具に高圧カットアウト支持部を設けた状態の側面図を示す。
【図１１】本発明の第二実施形態に係る変圧器保持具を用いて柱上変圧器を電柱に取り付けた柱上変圧器の取付構造の上面図を示す。
【図１２】第二実施形態に係る変圧器保持具が取り付けられる腕金装柱具の上面図を示す。
【図１３】第二実施形態に係る変圧器保持具が取り付けられる腕金装柱具の正面図を示す。
【図１４】第二実施形態に係る変圧器保持具が取り付けられる腕金装柱具の側面図を示す。
【図１５】第二実施形態に係る変圧器保持具の上面図を示す。
【図１６】第二実施形態に係る変圧器保持具の正面図を示す。
【図１７】第二実施形態に係る変圧器保持具の側面図を示す。
【図１８】第二実施形態に係る変圧器保持具に用いられる係合突起を説明する斜視図を示す。
【図１９】本発明の第二実施形態に係る変圧器保持具を用いて柱上変圧器を電柱に取り付けた柱上変圧器の取付構造の他態様における上面図を示す。
【符号の説明】
【０１０３】
１…変圧器保持具、２…被保持部、３…変圧器支持部、４…保持具本体、５…係合突起、６…孔、７…上面、８…前面、９…下面、１０…背面、１１…取付孔、１２…取付孔、１３…固定部材、１４…脱落防止部、１５…脱落防止金具、１６…細長部、１７…干渉部、１８…フック部、１９…切り口、３０…高圧カットアウト支持部、３１…高圧カットアウト支持金具、３２…連結部、３３…延設部、３４…アーム部材支持部、３５…電柱当接部、３５ａ…背面、３６，３７，３８…平坦部位、３９，４０…孔、４１…固定部材、５０…腕金、５１…孔、５２…上面、５３…側面、５４…下面、６０…腕金装柱具、６１…腕金保持部、６２…電柱当接部、６３…固定部、６４…固定部材、６５…装柱具本体、６６…バンド部材、６７…腕金受け部、６８…抜け止め手段、６９…Ｌ字状金具、６９ａ…基端片、６９ｂ…突出片、７０…電柱当接金具、７０ａ…山部、７０ｂ…裾部、８０…柱上変圧器、８１…係止部、８２…開口、９０…アーム部材、Ｐ…電柱、１０１…変圧器保持具、１０２…被保持部、１０３…変圧器支持部、１０４…保持具本体、１０５…係合突起、１０５ａ…板状体、１０５ｂ…取付片、１０６…孔、１０７…上面、１０８…前面、１０９…下面、１１０…背面、１１１…取付孔、１１２…取付孔、１１３…固定部材、１１４…脱落防止部、１１５…脱落防止金具、１１６…細長部、１１７…干渉部、１１８…フック部、１１９…切り口、１２０…上面、１２１…下面、１２２…取付孔、１２３…固定部材、１６０…腕金装柱具、１６１…腕金保持部、１６２…電柱当接部、１６３…連結手段、１６４…固定部材、１６５…装柱具本体、１６６…締結部材、１６７…腕金受け部、１６８…抜け止め手段、１６９…Ｌ字状金具、１６９ａ…基端片、１６９ｂ…突出片、１７０…電柱当接金具、１７０ａ…山部、１７０ｂ…裾部、Ｐｍ…電柱
【図１】
2008236984.tif 000003
【図２】
2008236984.tif 000004
【図３】
2008236984.tif 000005
【図４】
2008236984.tif 000006
【図５】
2008236984.tif 000007
【図６】
2008236984.tif 000008
【図７】
2008236984.tif 000009
【図８】
2008236984.tif 000010
【図９】
2008236984.tif 000011
【図１０】
2008236984.tif 000012
【図１１】
2008236984.tif 000013
【図１２】
2008236984.tif 000014
【図１３】
2008236984.tif 000015
【図１４】
2008236984.tif 000016
【図１５】
2008236984.tif 000017
【図１６】
2008236984.tif 000018
【図１７】
2008236984.tif 000019
【図１８】
2008236984.tif 000020
【図１９】
2008236984.tif 000021
【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
真っ直ぐな腕金を長手方向に沿って水平に且つ抜け止めされた状態で保持する腕金保持部と、電柱の高さ方向に沿って該電柱と当接する電柱当接部とを備え、該電柱当接部を介して前記腕金保持部が前記電柱に固定される腕金装柱具に対して、前記腕金に代えて取付可能に構成される変圧器保持具であって、
前記腕金装柱具の腕金保持部に水平に保持されるべく該腕金保持部に対応した形状を有する被保持部を有する保持具本体と、柱上変圧器を支持すべく保持具本体の少なくとも一端部に設けられて該柱上変圧器の側面に形成される係止部に下方から係合する係合突起とを備えることを特徴とする変圧器保持具。
【請求項２】
前記係合突起は、保持具本体の軸方向に対して傾斜し且つ保持具本体から上方に突出するように設けられることを特徴とする請求項１に記載の変圧器保持具。
【請求項３】
前記係合突起に係合された係止部に上方から係合する脱落防止部をさらに備えて構成されることを特徴とする請求項２に記載の変圧器保持具。
【請求項４】
高圧配電線から延びる高圧引下線と前記柱上変圧器との間に接続される高圧カットアウトを支持する高圧カットアウト支持部をさらに備えることを特徴とする請求項１から３のいずれか一項に記載の変圧器保持具。
【請求項５】
前記被保持部が絶縁体によって構成されることを特徴とする請求項１から４のいずれか一項に記載の変圧器保持具。
【請求項６】
前記腕金装柱具を二つ用いて前記電柱を挟んで対向する状態で固定し、少なくとも一方の腕金装柱具に請求項５に記載の変圧器保持具を保持させ、該変圧器保持具の変圧器支持部に柱上変圧器が支持されることを特徴とする柱上変圧器の取付構造。
【請求項７】
前記一対の腕金装柱具は、互いの間隔を調節可能且つ所定の間隔を有して対向した状態に維持する連結手段によって連結されることを特徴とする請求項６に記載の柱上変圧器の取付構造。
【手続補正２】
【補正対象書類名】明細書
【補正対象項目名】０００８
【補正方法】変更
【補正の内容】
【０００８】
本発明に係る変圧器保持具は、真っ直ぐな腕金を長手方向に沿って水平に且つ抜け止めされた状態で保持する腕金保持部と、電柱の高さ方向に沿って該電柱と当接する電柱当接部とを備え、該電柱当接部を介して前記腕金保持部が前記電柱に固定される腕金装柱具に対して、前記腕金に代えて取付可能に構成される変圧器保持具であって、前記腕金装柱具の腕金保持部に水平に保持されるべく該腕金保持部に対応した形状を有する被保持部を有する保持具本体と、柱上変圧器を支持すべく保持具本体の少なくとも一端部に設けられて該柱上変圧器の側面に形成される係止部に下方から係合する係合突起とを備えることを特徴とする。
【手続補正３】
【補正対象書類名】明細書
【補正対象項目名】００１１
【補正方法】変更
【補正の内容】
【００１１】
また、前記変圧器支持部は、前記柱上変圧器の側面に形成される係止部に下方から係合する係合突起を備えて構成される。従って、柱上変圧器を変圧器保持具の上方から引っ掛けることにより、取付作業を容易に行うことができつつも、容易に脱落しない状態とすることができる。
【手続補正４】
【補正対象書類名】明細書
【補正対象項目名】００１２
【補正方法】変更
【補正の内容】
【００１２】
また、前記係合突起は、保持具本体の軸方向に対して傾斜し且つ保持具本体から上方に突出するように設けられる構成が好ましい。
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
真っ直ぐな腕金を長手方向に沿って水平に且つ抜け止めされた状態で保持する腕金保持部と、電柱の高さ方向に沿って該電柱と当接する電柱当接部とを備え、該電柱当接部を介して前記腕金保持部が前記電柱に固定される腕金装柱具に対して、前記腕金に代えて取付可能に構成される変圧器保持具であって、
前記腕金装柱具の腕金保持部に水平に保持されるべく該腕金保持部に対応した形状を有する被保持部を有する保持具本体と、柱上変圧器を支持すべく保持具本体の少なくとも一端部に設けられて該柱上変圧器の側面に形成される係止部に下方から係合する係合突起と、高圧配電線から延びる高圧引下線と前記柱上変圧器との間に接続される高圧カットアウトが取り付けられるアーム部材を保持可能な高圧カットアウト支持部とを備え、
前記高圧カットアウト支持部は、前記アーム部材を前記保持具本体とは異なる高さ位置で保持するように構成されることを特徴とする変圧器保持具。
【請求項２】
前記高圧カットアウト支持部は、電柱と当接する電柱当接部を備えることを特徴とする請求項１に記載の変圧器保持具。
【請求項３】
前記高圧カットアウト支持部は、前記アーム部材を前記保持具本体より上方の位置において保持することを特徴とする請求項１又は２に記載の変圧器保持具。
【請求項４】
前記高圧カットアウト支持部は、保持具本体から上下方向に沿って延びる延設部と、該延設部に設けられ、前記アーム部材を支持するアーム部材支持部とを備えることを特徴とする請求項１から３のいずれか一項に記載の変圧器保持具。
【請求項５】
前記アーム部材支持部は、前記延設部の延設方向と直交し且つ電柱から離間する方向に向かって延びるように設けられることを特徴とする請求項４に記載の変圧器保持具。
【請求項６】
前記係合突起は、前記保持具本体の両端部に設けられ、前記高圧カットアウト支持部は、保持具本体の軸方向中央部に備えられることを特徴とする請求項１から５のいずれか一項に記載の変圧器保持具。
【請求項７】
前記保持具本体は、背面側から前記腕金保持部に保持されるとともに、前記高圧カットアウト支持部は、前面側から前記保持具本体を包囲する態様で備えられることを特徴とする請求項１から６のいずれか一項に記載の変圧器保持具。
【請求項８】
前記高圧カットアウト支持部は、前記保持具本体に対して着脱自在な高圧カットアウト支持金具として設けられることを特徴とする請求項１から７のいずれか一項に記載の変圧器保持具。
【請求項９】
前記保持具本体が絶縁体によって構成されることを特徴とする請求項１から８のいずれか一項に記載の変圧器保持具。
【請求項１０】
前記係合突起は、保持具本体の軸方向に対して傾斜し且つ保持具本体から上方に突出するように設けられることを特徴とする請求項１から９のいずれか一項に記載の変圧器保持具。
【請求項１１】
前記係合突起に係合された柱上変圧器の係止部に上方から係合する脱落防止部をさらに備えて構成されることを特徴とする請求項１から１０のいずれか一項に記載の変圧器保持具。
【手続補正３】
【補正対象書類名】明細書
【補正対象項目名】０００８
【補正方法】変更
【補正の内容】
【０００８】
本発明に係る変圧器保持具は、真っ直ぐな腕金を長手方向に沿って水平に且つ抜け止めされた状態で保持する腕金保持部と、電柱の高さ方向に沿って該電柱と当接する電柱当接部とを備え、該電柱当接部を介して前記腕金保持部が前記電柱に固定される腕金装柱具に対して、前記腕金に代えて取付可能に構成される変圧器保持具であって、前記腕金装柱具の腕金保持部に水平に保持されるべく該腕金保持部に対応した形状を有する被保持部を有する保持具本体と、柱上変圧器を支持すべく保持具本体の少なくとも一端部に設けられて該柱上変圧器の側面に形成される係止部に下方から係合する係合突起と、高圧配電線から延びる高圧引下線と前記柱上変圧器との間に接続される高圧カットアウトが取り付けられるアーム部材を保持可能な高圧カットアウト支持部とを備え、前記高圧カットアウト支持部は、前記アーム部材を前記保持具本体とは異なる高さ位置で保持するように構成されることを特徴とする。
【手続補正４】
【補正対象書類名】明細書
【補正対象項目名】００１１
【補正方法】変更
【補正の内容】
【００１１】
また、前記変圧器支持部は、前記柱上変圧器の側面に形成される係止部に下方から係合する係合突起を備えて構成される。従って、柱上変圧器を変圧器保持具の上方から引っ掛けることにより、取付作業を容易に行うことができつつも、容易に脱落しない状態とすることができる。
【手続補正５】
【補正対象書類名】明細書
【補正対象項目名】００１２
【補正方法】変更
【補正の内容】
【００１２】
さらに、上記変圧器保持具は、高圧配電線から延びる高圧引下線と前記柱上変圧器との間に接続される高圧カットアウトが取り付けられるアーム部材を保持可能な高圧カットアウト支持部を備えるものである。高圧カットアウトは、通常、柱上変圧器とセットで用いられるものであるので、上記構成を採用すれば、柱上変圧器と高圧カットアウトとを一組として一つの腕金装柱具で取り付けることができるため、作業効率を一層高めることができる。
【手続補正６】
【補正対象書類名】明細書
【補正対象項目名】００１３
【補正方法】変更
【補正の内容】
【００１３】
また、前記高圧カットアウト支持部は、電柱と当接する電柱当接部を備える構成が好ましい。
【手続補正７】
【補正対象書類名】明細書
【補正対象項目名】００１４
【補正方法】変更
【補正の内容】
【００１４】
また、前記高圧カットアウト支持部は、前記アーム部材を前記保持具本体より上方の位置において保持する構成が好ましい。
【手続補正８】
【補正対象書類名】明細書
【補正対象項目名】００１５
【補正方法】変更
【補正の内容】
【００１５】
また、前記高圧カットアウト支持部は、保持具本体から上下方向に沿って延びる延設部と、該延設部に設けられ、前記アーム部材を支持するアーム部材支持部とを備える構成が好ましい。
【手続補正９】
【補正対象書類名】明細書
【補正対象項目名】００１６
【補正方法】変更
【補正の内容】
【００１６】
また、前記アーム部材支持部は、前記延設部の延設方向と直交し且つ電柱から離間する方向に向かって延びるように設けられる構成が好ましい。
【手続補正１０】
【補正対象書類名】明細書
【補正対象項目名】００１７
【補正方法】変更
【補正の内容】
【００１７】
また、前記係合突起は、前記保持具本体の両端部に設けられ、前記高圧カットアウト支持部は、保持具本体の軸方向中央部に備えられる構成が好ましい。
【手続補正１１】
【補正対象書類名】明細書
【補正対象項目名】００１８
【補正方法】変更
【補正の内容】
【００１８】
また、前記保持具本体は、背面側から前記腕金保持部に保持されるとともに、前記高圧カットアウト支持部は、前面側から前記保持具本体を包囲する態様で備えられる構成が好ましい。
【手続補正１２】
【補正対象書類名】明細書
【補正対象項目名】００１９
【補正方法】変更
【補正の内容】
【００１９】
また、前記高圧カットアウト支持部は、前記保持具本体に対して着脱自在な高圧カットアウト支持金具として設けられる構成が好ましい。
【手続補正１３】
【補正対象書類名】明細書
【補正対象項目名】００２０
【補正方法】変更
【補正の内容】
【００２０】
また、前記変圧器保持具としては、前記被保持部が絶縁体によって構成されるものが考えられる。かかる変圧器保持具によれば、絶縁性を確保することができるため、例えば金属製の電柱に対して取り付ける場合にも変圧器保持具を利用することができる。
【手続補正１４】
【補正対象書類名】明細書
【補正対象項目名】００２１
【補正方法】変更
【補正の内容】
【００２１】
また、前記係合突起は、保持具本体の軸方向に対して傾斜し且つ保持具本体から上方に突出するように設けられる構成が好ましい。
【手続補正１５】
【補正対象書類名】明細書
【補正対象項目名】００２２
【補正方法】変更
【補正の内容】
【００２２】
また、上記変圧器保持具は、前記係合突起に係合された柱上変圧器の係止部に上方から係合する脱落防止部をさらに備えて構成されるものが好ましい。このようにすれば、変圧器保持具の係合突起に係止部を係止された柱上変圧器が何らかの衝撃で跳ね上げられる等して脱落してしまうのを防止することができる。
【手続補正書】
【提出日】平成20年6月12日(2008.6.12)
【手続補正１】
【補正対象書類名】特許請求の範囲
【補正対象項目名】請求項１
【補正方法】変更
【補正の内容】
【請求項１】
真っ直ぐな腕金を長手方向に沿って水平に且つ抜け止めされた状態で保持する腕金保持
部と、電柱の高さ方向に沿って該電柱と当接する電柱当接部とを備え、該電柱当接部を介
して前記腕金保持部が前記電柱に固定される腕金装柱具に対して、前記腕金に代えて取付
可能に構成される変圧器保持具であって、
前記腕金装柱具の腕金保持部に水平に保持されるべく該腕金保持部に対応した形状を有
する被保持部を有する保持具本体と、柱上変圧器を支持すべく保持具本体の少なくとも一
端部に設けられて該柱上変圧器の側面に形成される係止部に下方から係合する係合突起と
、高圧配電線から延びる高圧引下線と前記柱上変圧器との間に接続される高圧カットアウトが取り付けられるアーム部材を保持可能であり且つ保持具本体に取り付けられる高圧カットアウト支持部とを備え、
前記高圧カットアウト支持部は、前記アーム部材を前記保持具本体とは異なる高さ位置で保持するように構成されることを特徴とする変圧器保持具。
【手続補正２】
【補正対象書類名】明細書
【補正対象項目名】０００８
【補正方法】変更
【補正の内容】
【０００８】
本発明に係る変圧器保持具は、真っ直ぐな腕金を長手方向に沿って水平に且つ抜け止め
された状態で保持する腕金保持部と、電柱の高さ方向に沿って該電柱と当接する電柱当接
部とを備え、該電柱当接部を介して前記腕金保持部が前記電柱に固定される腕金装柱具に
対して、前記腕金に代えて取付可能に構成される変圧器保持具であって、前記腕金装柱具の腕金保持部に水平に保持されるべく該腕金保持部に対応した形状を有する被保持部を有する保持具本体と、柱上変圧器を支持すべく保持具本体の少なくとも一端部に設けられて該柱上変圧器の側面に形成される係止部に下方から係合する係合突起と、高圧配電線から延びる高圧引下線と前記柱上変圧器との間に接続される高圧カットアウトが取り付けられるアーム部材を保持可能であり且つ保持具本体に取り付けられる高圧カットアウト支持部とを備え、前記高圧カットアウト支持部は、前記アーム部材を前記保持具本体とは異なる高さ位置で保持するように構成されることを特徴とする。